(57)【特許請求の範囲】
【請求項１】
建設機械であって、
下部走行体と、
前記下部走行体上に設けられたアッパーフレームと、
前記アッパーフレーム上に設けられたタンクと、
前記アッパーフレーム上で前記タンクに隣接して設けられているとともに前記タンクの側面を支持するための支持機構と、
前記タンクを支持機構に締め付けることにより当該タンクを前記アッパーフレーム上に取り付ける締付機構とを備え、
前記タンクは、平面視において、前記タンクが前記支持機構に締め付けられる方向である横締付方向において前記支持機構側に向き、かつ、前記横締付方向において前記支持機構と反対側に向けて互いに離れる又は互いに近づくように傾斜する一対の傾斜外側面を有し、
前記支持機構は、前記傾斜外側面のそれぞれに沿って延びるとともに当該傾斜外側面にそれぞれ接触することにより前記タンクを支持する一対の傾斜支持面を有する、建設機械。
【請求項２】
前記支持機構は、平面視において前記横締付方向と直交する方向に前記傾斜支持面から延びるとともに前記タンクの側面に接触することにより当該タンクを支持する直交支持面を有する、請求項１に記載の建設機械。
【請求項３】
前記両傾斜外側面は、平面視において、前記横締付方向において前記支持機構と反対側に向けて互いに離れるように傾斜するとともに、前記横締付方向と直交する方向における前記タンクの端部に設けられている、請求項１又は２に記載の建設機械。
【請求項４】
前記支持機構は、平面視において前記横締付方向と直交する方向に互いに離間するとともに前記傾斜支持面をそれぞれ有する一対の支持部材を有し、
前記締付機構は、平面視において前記横締付方向と直交する方向に互いに離間するとともに前記支持部材にそれぞれ接続されて前記タンクの端部をそれぞれ締め付ける２つの締付部材を有する、請求項３に記載の建設機械。
【請求項５】
前記タンクは、前記２つの締付部材の間で当該両締付部材が接触する前記タンクの側面よりも外側に突出する突出部を有する、請求項４に記載の建設機械。
【請求項６】
前記締付機構は、前記タンクの前記支持機構と反対側で前記アッパーフレーム上に設けられた取付具と、前記取付具と前記支持機構とに掛け渡されていることにより前記タンクを前記アッパーフレーム側及び前記支持機構側に締め付ける少なくとも１つの締付部材とを備えている、請求項１〜３の何れか１項に記載の建設機械。
【請求項７】
前記傾斜外側面と前記傾斜支持面との接触部分の少なくとも一部は、平面視において前記横締付方向と直交する方向における前記締付部材の幅範囲に重なる、請求項４〜６の何れか１項に記載の建設機械。
【発明の詳細な説明】
【技術分野】
【０００１】
本発明は、燃料タンク、作動油タンク及び液体還元剤タンク等のタンクを有する建設機械に関するものである。
【背景技術】
【０００２】
例えば、特許文献１に記載の建設機械は、下部走行体上に設けられたアッパーフレーム（旋回フレーム）と、アッパーフレーム上に設けられたタンク（燃料タンク）と、タンクに隣接してアッパーフレーム上に設けられた支持機構（作動油タンク）とを備えている。
【０００３】
ここで、タンクは、支持機構の側面に押し付けられた状態で、アッパーフレーム上に取り付けられている。
【０００４】
具体的に、特許文献１に記載の建設機械は、タンクの支持機構と反対側でアッパーフレーム上に設けられた取付具（係止ブラケット）と、取付具と支持機構とに掛け渡されることによりタンクを上方及び側方から締め付ける締付部材（タンク固定バンド）とを備えている。
【０００５】
締付部材は、タンクの上面及び側面に沿って配置された状態で取付具とタンクとに掛け渡されている。この締付部材による締め付けによってタンクを側方から押し付ける力及びタンクを上方から押し付ける力が締付部材からタンクに与えられる。
【先行技術文献】
【特許文献】
【０００６】
【特許文献１】特開２００２−６１２２４号公報
【発明の概要】
【発明が解決しようとする課題】
【０００７】
特許文献１に記載の建設機械では、支持機構の平坦面（平板状の前面板）、及び、アッパーフレームの平坦面（燃料タンク載置板の上面）に対してタンクを押し付けることにより当該タンクがアッパーフレーム上に取り付けられている。
【０００８】
そのため、建設機械の振動等に応じて、平面視においてタンクが支持機構に締め付けられる方向と直交する方向（以下、締付直交方向という）にタンクが支持機構及びアッパーフレームに対して移動してしまうおそれがある。
【０００９】
本発明の目的は、締付直交方向にタンクが移動するのを抑制することができる建設機械を提供することにある。
【課題を解決するための手段】
【００１０】
上記課題を解決するために、本発明は、建設機械であって、下部走行体と、前記下部走行体上に設けられたアッパーフレームと、前記アッパーフレーム上に設けられたタンクと、前記アッパーフレーム上で前記タンクに隣接して設けられているとともに前記タンクの側面を支持するための支持機構と、前記タンクを支持機構に締め付けることにより当該タンクを前記アッパーフレーム上に取り付ける締付機構とを備え、前記タンクは、平面視において、前記タンクが前記支持機構に締め付けられる方向である横締付方向において前記支持機構側に向き、かつ、前記横締付方向において前記支持機構と反対側に向けて互いに離れる又は互いに近づくように傾斜する一対の傾斜外側面を有し、前記支持機構は、前記傾斜外側面のそれぞれに沿って延びるとともに当該傾斜外側面にそれぞれ接触することにより前記タンクを支持する一対の傾斜支持面を有する、建設機械を提供する。
【００１１】
本発明によれば、傾斜外側面が平面視において支持機構と反対側に向けて互いに離れる又は互いに近づくように傾斜しているとともに傾斜支持面が傾斜外側面に沿って延びている。
【００１２】
そのため、傾斜外側面と傾斜支持面との接触によって締付機構による横締付方向の力の一部を、締付直交方向（平面視において横締付方向と直交する方向）の力に変換することができる。
【００１３】
具体的に、両傾斜外側面（両傾斜支持面）は平面視において互いに逆向きに傾斜しているため、各傾斜外側面（各傾斜支持面）において生じる締付直交方向の力は互いに逆向きである。
【００１４】
このようにタンクに対して締付直交方向における逆向きの力を与えることにより、タンクが締付直交方向に移動するのを抑制することができる。
【００１５】
なお、本発明において『傾斜外側面と傾斜支持面との接触』とは、傾斜外側面と傾斜支持面とが直接接触する場合に限らず、これらの間に緩衝材を設ける場合には、傾斜外側面と傾斜支持面とが緩衝材を介して間接的に接触する場合も含む。
【００１６】
前記支持機構は、前記傾斜外側面と前記傾斜支持面との接触のみによってタンクを支持してもよいが、前記支持機構は、平面視において前記横締付方向と直交する方向に前記傾斜支持面から延びるとともに前記タンクの側面に接触することにより当該タンクを支持する直交支持面を有することが好ましい。
【００１７】
この態様によれば、締付機構により横締付方向に押し付けられるタンクを当該横締付方向と直交する直交支持面によって受けることができる。そのため、上述した締付直交方向におけるタンクの移動の抑制と、タンクの確実な支持との両立を図ることができる。
【００１８】
なお、前記態様において『タンクの側面に接触する』とは、タンクの側面と直交支持面とが直接接触する場合に限らず、これらの間に緩衝材を設ける場合には、タンクの側面と直交支持面とが緩衝材を介して間接的に接触する場合も含む。
【００１９】
ここで、両傾斜外側面が横締付方向において支持機構と反対側に向けて互いに近づくように傾斜する場合、傾斜外側面とこれに隣接する締付直交方向のタンクの端面とは互いに逆向きに配置される。そのため、両傾斜外側面を締付直交方向のタンクの端部に近づけるのに限界がある。
【００２０】
これに対し、両傾斜外側面が平面視において、横締付方向において支持機構と反対側に向けて互いに離れるように傾斜する場合、傾斜外側面とこれに隣接する締付直交方向のタンクの端面とが同じ側を向く。そのため、平面視において前記横締付方向と直交する方向、つまり、締付直交方向における前記タンクの端部に傾斜外側面を設けることができる。
【００２１】
この態様によれば、締付直交方向におけるタンクの両端部に設けられた傾斜外側面と支持機構の傾斜支持面との接触により、タンクの両端部で確実にタンクを支持することができる。
【００２２】
ここで、両傾斜支持面は１つの部材に設けられていてもよいが、上述のようにタンクの両端部に傾斜外側面が位置する場合、この部材が大型化する。また、締付機構がタンクを締め付けるための１つ締付部材を有していてもよいが、タンクの両端部に傾斜外側面が位置する場合、締付力を両傾斜支持面に十分に与えるためには締付部材の幅を大きくせざるを得ない。
【００２３】
そこで、前記支持機構は、平面視において前記横締付方向と直交する方向に互いに離間するとともに前記傾斜支持面をそれぞれ有する一対の支持部材を有し、前記締付機構は、平面視において前記横締付方向と直交する方向に互いに離間するとともに前記支持部材にそれぞれ接続されて前記タンクの端部をそれぞれ締め付ける２つの締付部材を有することが好ましい。
【００２４】
この態様によれば、傾斜支持面ごとに支持部材を設けることにより両傾斜支持面間における支持機構の余分な構成を省略することができるため、両傾斜支持面を設けるための部材の大型化を避けることができる。
【００２５】
さらに、タンクの端部にそれぞれ締付部材を設けることによりタンクの両端部間における締付部材の余分な部分を省略することができるため、１枚の締付部材を用いる場合と比較して両締付部材の合計幅を小さく抑えることができる。また、タンクの両端部を２つの締付部材により締め付けることができるため、締付力を確実に傾斜支持面に与えることができる。
【００２６】
したがって、支持機構及び締付部材に要するコストを低減しながら、締付力を確実に傾斜支持面に与えることができる。
【００２７】
ここで、タンクの両締付部材の間の部分の外側面は当該両締付部材が接触する外側面と同一平面上に位置していてもよいが、この場合、建設機械の振動時等において、タンクの外側面と両締付部材とが締付直交方向に相対的に移動してしまうおそれがある。
【００２８】
そこで、前記タンクは、前記２つの締付部材の間で当該両締付部材が接触する前記タンクの側面よりも外側に突出する突出部を有することが好ましい。
【００２９】
この態様によれば、両締付部材の間に突出部が設けられているため、締付部材の側面と突出部の側面との接触により、当該締付部材とタンクとが締付直交方向に相対的に移動するのを規制することができる。
【００３０】
さらに、突出部が設けられていることによりタンクの容量を増加することもできる。
【００３１】
ここで、締付機構は、支持機構に接続された両端部と当該両端部間でタンクの周囲に掛け回された中間部とを有する締付部材を備えていてもよいが、この場合、アッパーフレームに対してタンクを拘束するための構成を別途設ける必要がある。
【００３２】
そこで、前記締付機構は、前記タンクの前記支持機構と反対側で前記アッパーフレーム上に設けられた取付具と、前記取付具と前記支持機構とに掛け渡されていることにより前記タンクを前記アッパーフレーム側及び前記支持機構側に締め付ける少なくとも１つの締付部材とを備えていることが好ましい。
【００３３】
この態様によれば、締付部材を支持機構と取付具とに掛け渡すことによりタンクを支持機構だけでなくアッパーフレームにも締め付けることができる。
【００３４】
ここで、タンクが比較的大きな剛性を有する場合、締付部材と傾斜支持面（傾斜外側面）とが締付直交方向に離れて配置されていても、タンクの剛性を利用して締付部材による締付力を傾斜支持面に伝えることができる。一方、タンクの剛性が比較的に低い場合には、締付部材と傾斜支持面とが締付直交方向に離れていると、タンクが変形して締付力を傾斜支持面に対して十分に伝えることができないおそれがある。
【００３５】
そこで、タンクの材質及び形状を限定する趣旨ではないが、前記傾斜外側面と前記傾斜支持面との接触部分の少なくとも一部は、平面視において前記横締付方向と直交する方向における前記締付部材の幅範囲に重なることが好ましい。
【００３６】
この態様によれば、締付直交方向において締付部材による締付範囲と、傾斜外側面と傾斜支持面との接触部分とが重なるため、締付部材による締付力をタンクを介して傾斜支持面及び傾斜外側面に確実に伝えることができる。
【発明の効果】
【００３７】
本発明によれば、締付直交方向にタンクが移動するのを抑制することができる。
【図面の簡単な説明】
【００３８】
【図１】本発明の第１実施形態に係る油圧ショベルの全体構成を示す側面図である。
【図２】図１に示すアッパーフレームの一部を省略して示す平面図である。
【図３】図２に示す還元剤タンク及び固定機構の分解斜視図である。
【図４】図２に示す還元剤タンク及び固定機構の左側面図である。
【図５】図４のＶ−Ｖ線断面図である。
【図６】図５のＶＩ−ＶＩ線断面図である。
【図７】本発明の第２実施形態に係る還元剤タンク及び固定機構の図６相当図である。
【図８】本発明の第３実施形態に係る還元剤タンク及び固定機構の図６相当図である。
【発明を実施するための形態】
【００３９】
以下添付図面を参照しながら、本発明の実施の形態について説明する。なお、以下の実施の形態は、本発明を具体化した例であって、本発明の技術的範囲を限定する性格のものではない。
【００４０】
＜第１実施形態＞
図１を参照して、本発明の第１実施形態に係る建設機械の一例である油圧ショベル１は、一対のクローラ２ａを有する下部走行体２と、下部走行体２上に旋回可能に設けられた上部旋回体３と、上部旋回体３に対して変位可能に取り付けられた作業アタッチメント４とを備えている。
【００４１】
作業アタッチメント４は、上部旋回体３に取り付けられた基端部を有するブーム５と、ブーム５の先端部に取り付けられた基端部を有するアーム６と、アーム６の先端部に取り付けられたバケット７とを備えている。
【００４２】
また、作業アタッチメント４は、上部旋回体３に対してブーム５の先端部を上げ下げ駆動するブームシリンダ８と、ブーム５に対してアーム６を回転駆動するアームシリンダ９と、アーム６に対してバケット７を回転駆動するバケットシリンダ１０とを備えている。
【００４３】
図１及び図２を参照して、上部旋回体３は、下部走行体２上に設けられたアッパーフレーム１１と、それぞれアッパーフレーム１１上に設けられた、キャブ１２、作動油タンク１３、燃料タンク１４、還元剤タンク（タンクの一例）１５、エンジン１６、及び固定機構１７とを備えている。なお、キャブ１２内の運転席に着座したオペレータから見た方向を用いて以下説明する。
【００４４】
アッパーフレーム１１は、下部走行体２に対して旋回可能に取り付けられた底板１１ａと、底板１１ａ上に立設された一対の縦板１１ｂとを備えている。縦板１１ｂは、左右方向に対向するとともに前後方向に延びる。縦板１１ｂの前端部には、ブーム５の基端部が取り付けられている。
【００４５】
キャブ１２は、アッパーフレーム１１の前部における左の縦板１１ｂの左側に配置されている。
【００４６】
作動油タンク１３は、両縦板１１ｂのキャブ１２と反対側に設けられている。
【００４７】
燃料タンク１４は、作動油タンク１３の縦板１１ｂと反対側に設けられている。具体的に、燃料タンク１４は、作動油タンク１３の右側に設けられた燃料タンク本体１４ａと、燃料タンク本体１４ａ上に設けられた給油口１４ｂとを備えている。燃料タンク本体１４ａは、底板１１ａの右の外縁部に沿って前後方向に延びている。
【００４８】
還元剤タンク１５は、エンジン１６からの排ガス中に含まれる窒素酸化物を還元するための液体還元剤（例えば、尿素水）を収納する。また、還元剤タンク１５は、前後方向に延びる燃料タンク本体１４ａの上面（以下、載置面１４ｃという）に設けられている。
【００４９】
エンジン１６は、キャブ１２、作動油タンク１３、燃料タンク１４及び還元剤タンク１５の後ろの位置で両縦板１１ｂ上に設けられている。
【００５０】
図３〜図６を参照して、還元剤タンク１５は、載置面１４ｃ上に載置された樹脂製の還元剤タンク本体１８と、還元剤タンク本体１８から左に向けて突出する補給口１９と、還元剤タンク本体１８内の液体還元剤を加熱するためのヒータユニット２０と、液体還元剤の液面が所定の位置に到達したか否かを作業員に提示するレベルゲージ２１とを備えている。ヒータユニット２０は、熱媒の流通を許容する熱媒通路を有するヒータ本体２０ａと、ヒータ本体２０ａを還元剤タンク本体１８の内外に貫通した状態で取り付けるための蓋体２０ｂとを備えている。
【００５１】
還元剤タンク本体１８は、燃料タンク１４（載置面１４ｃ）に沿って前後方向に延びている。また、還元剤タンク本体１８は、当該還元剤タンク本体１８の前後方向の両端部に設けられた一対のバンド挿入溝２２と、バンド挿入溝２２の右側にそれぞれ設けられた一対の被支持部２３と、両被支持部２３間で右側に突出する右側突出部２４と、両バンド挿入溝２２の間で左側に突出する左側突出部２５と、両被支持部２３の上にそれぞれ設けられた上側凹部２６と、バンド挿入溝２２の下にそれぞれ設けられた下側凹部２７と、載置面１４ｃ上に載置される底面２８とを備えている。
【００５２】
バンド挿入溝２２は、後述する締付部材３１を挿入するために還元剤タンク本体１８の左側面及び上面を窪ませることにより形成されている。具体的に、バンド挿入溝２２は、当該バンド挿入溝２２の底面として、左側に向く左側面２２ａ（図５参照）と、上に向く上面２２ｂ（図５参照）とを備えている。
【００５３】
被支持部２３は、後述する支持部材３４によって支持される還元剤タンク本体１８の側面である。具体的に、被支持部２３は、前後方向に沿って延びる右外側面２３ａと、右外側面２３ａから左右方向に傾斜する傾斜外側面２３ｂとを有する。両傾斜外側面２３ｂは、図６に示すように、平面視において右から左に向けて互いに離れるように傾斜している。
【００５４】
右側突出部２４は、両被支持部２３の右外側面２３ａよりも右側に突出する。これにより、還元剤タンク本体１８の容量を増加することができる。
【００５５】
左側突出部２５は、両バンド挿入溝２２の左側面２２ａよりも左側に突出する。なお、図６に示すように、左側突出部２５の左側面には、補給口１９及びレベルゲージ２１が設けられている。また、両バンド挿入溝２２の間で、かつ、還元剤タンク本体１８の上面にはヒータユニット２０の蓋体２０ｂが取り付けられている。
【００５６】
上側凹部２６は、図５に示すように、後述する締付部材３１のフック（符号省略）と還元剤タンク本体１８との接触を避けるために還元剤タンク本体１８の上面を窪ませた部分であり、同様に、下側凹部２７は、還元剤タンク本体１８の左側面を窪ませた部分である。
【００５７】
図３〜図６を参照して、固定機構１７は、還元剤タンク１５を載置面１４ｃ上に固定するためのものである。
【００５８】
具体的に、固定機構１７は、載置面１４ｃ上で還元剤タンクに隣接して設けられた支持機構２９と、還元剤タンク１５の支持機構２９と反対側で載置面１４ｃ上に設けられた前後一対の取付具（締付機構）３０と、取付具３０と支持機構２９とに掛け渡されていることにより還元剤タンク１５を載置面１４ｃ及び支持機構２９に締め付ける前後一対の締付部材（締付機構）３１と、還元剤タンク１５の底面２８と載置面１４ｃとの間に設けられた前後一対の緩衝材３２とを備えている。
【００５９】
支持機構２９は、還元剤タンク１５の右側面を支持するためのものである。支持機構２９は、載置面１４ｃ上に固定されているとともに前後方向に延びる基板３３と、基板３３上に立設された一対の支持部材３４と、支持部材３４の上端部にそれぞれ設けられた一対の取付板３５と、支持部材３４にそれぞれ固定された一対の緩衝材３６とを備えている。
【００６０】
支持部材３４は、１枚の金属板が鈍角に屈曲されることにより形成されたものである。そのため、Ｃ型鋼を用いる場合と比較して、支持部材３４の平面形状をコンパクトにすることができる。
【００６１】
また、支持部材３４は、還元剤タンク１５の右外側面２３ａを支持するための側面支持部３４ａと、この側面支持部３４ａから延びるとともに還元剤タンク１５の傾斜外側面２３ｂを支持するための傾斜支持部３４ｂとを備えている。傾斜支持部３４ｂは、還元剤タンク１５の傾斜外側面２３ｂに沿って延びるとともに当該傾斜外側面２３ｂに接触することにより還元剤タンク１５を支持する傾斜支持面３４ｄを有する。側面支持部３４ａは、傾斜支持面３４ｄから前後方向に沿って延びるとともに還元剤タンク１５の右外側面２３ａに接触することにより還元剤タンク１５を支持する直交支持面３４ｃを有する。
【００６２】
取付板３５は、締付部材３１のフック（符号省略）を係止するためのものである。取付板３５は、水平方向に沿って配置された状態で支持部材３４の上端面に固定され、取付板３５を上下方向に貫通する係止穴３５ａを有する。この係止穴３５ａ内にフックの先端部が挿入されることにより、取付板３５に対してフックが係止される。
【００６３】
緩衝材３６は、支持部材３４と還元剤タンク１５との接触により還元剤タンク１５が損傷するのを防止するために支持部材３４に設けられた弾性部材である。緩衝材３６は、支持部材３４の上下方向の中間部において支持部材３４の直交支持面３４ｃ及び傾斜支持面３４ｄに沿って設けられた本体３６ａと、本体３６ａから突出する突起３６ｂ（図６参照）とを有する。突起３６ｂは、支持部材３４に対する位置を保つために傾斜支持部３４ｂに形成された貫通穴３４ｅに挿入されたものである。
【００６４】
取付具３０は、締付部材３１のフック（符号省略）を係止するためのものである。取付具３０は、載置面１４ｃ上に固定された基板３０ａと、基板３０ａ上に立設された取付板３０ｂとを備えている。取付板３０ｂには、当該取付板３０ｂを左右方向に貫通する係止穴３０ｃが形成されている。この係止穴３０ｃ内にフックの先端部が挿入されることにより、取付具３０に対してフックが係止される。
【００６５】
締付部材３１は、還元剤タンク１５の上面２２ｂ及び左側面２２ａに沿って配置された状態で支持機構２９の取付板３５と取付具３０との間に掛け渡されている。締付部材３１は、取付板３５に係止された上バンド３１ａと、取付具３０に係止された下バンド３１ｂと、両バンド３１ａ、３１ｂ間の距離を調整可能な調整機構３１ｃとを有している。調整機構３１ｃにより両バンド３１ａ、３１ｂ間の距離を調整することにより、還元剤タンク１５に対する締付力を調整することができる。
【００６６】
緩衝材３２は、還元剤タンク１５の底面２８と載置面１４ｃとの接触により還元剤タンク１５が損傷するのを防止するために載置面１４ｃ上に設けられた弾性部材である。
【００６７】
以下、締付部材３１により還元剤タンク１５が支持機構２９に締め付けられる方向（左から右に向かう方向）を横締付方向と定義し、平面視において横締付方向と直交する方向（前後方向）を締付直交方向と定義して、還元剤タンク１５及び固定機構１７の構成について説明する。
【００６８】
図６を参照して、還元剤タンク１５の一対の傾斜外側面２３ｂは、平面視において、横締付方向において支持機構２９側に向き、かつ、横締付方向において支持機構２９と反対側に向けて互いに離れるように傾斜する。本実施形態において、両傾斜外側面２３ｂの横締付方向に対する傾斜角度は、同一（約４５°）であるが還元剤タンク１５の締付直交方向における位置を保持できる範囲内で異なっていてもよい。傾斜外側面２３ｂは、平面視において締付直交方向における還元剤タンク１５の端部にそれぞれ設けられている。還元剤タンク１５の右外側面２３ａは、平面視において、一方の傾斜外側面２３ｂの他方の傾斜外側面２３ｂに近い側の端部から当該他方の傾斜外側面２３ｂ側に向けて締付直交方向に沿って延びている。
【００６９】
支持機構２９の傾斜支持面３４ｄは、還元剤タンク１５の傾斜外側面２３ｂに沿って延びている。また、支持機構２９の直交支持面３４ｃは、平面視において、一方の傾斜支持面３４ｄの他方の傾斜支持面３４ｄに近い側の端部から当該他方の傾斜支持面３４ｄ側に向けて締付直交方向に沿って延びている。
【００７０】
支持機構２９の一対の支持部材３４は、平面視において締付直交方向に互いに離間するとともに傾斜支持面３４ｄをそれぞれ有する。一対の締付部材３１は、平面視において締付直交方向に互いに離間するとともに支持部材３４にそれぞれ接続されて還元剤タンク１５の端部をそれぞれ締め付けている。
【００７１】
また、緩衝材３６を介した傾斜外側面２３ｂと傾斜支持面３４ｄとの接触部分の少なくとも一部は、平面視において締付直交方向における締付部材３１の幅範囲Ｗ１に重なっている。
【００７２】
以上説明したように、傾斜外側面２３ｂが平面視において支持機構２９側から取付具３０側に向けて（支持機構２９と反対側に向けて）互いに離れるように傾斜しているとともに傾斜支持面３４ｄが傾斜外側面２３ｂに沿って延びている。
【００７３】
そのため、傾斜外側面２３ｂと傾斜支持面３４ｄとの接触（緩衝材３６を介した接触）によって締付部材３１による横締付方向の力の一部を締付直交方向の力に変換することができる。
【００７４】
具体的に、両傾斜外側面２３ｂ（両傾斜支持面３４ｄ）は平面視において互いに逆向きに傾斜しているため、各傾斜外側面２３ｂ（各傾斜支持面３４ｄ）において生じる締付直交方向の力は互いに逆向きである。
【００７５】
このように還元剤タンク１５に対して締付直交方向における逆向きの力を与えることにより、還元剤タンク１５が締付直交方向に移動するのを抑制することができる。
【００７６】
また、第１実施形態によれば、以下の効果を奏することができる。
【００７７】
第１実施形態によれば、締付部材３１により横締付方向に押し付けられる還元剤タンク１５を当該横締付方向と直交する直交支持面３４ｃによって受けることができる。そのため、上述した締付直交方向における還元剤タンク１５の移動の抑制と、還元剤タンク１５の確実な支持との両立を図ることができる。
【００７８】
第１実施形態によれば、締付直交方向における還元剤タンク１５の両端部に設けられた傾斜外側面２３ｂと支持機構２９の傾斜支持面３４ｄとの接触により、還元剤タンク１５の両端部で確実に還元剤タンク１５を支持することができる。
【００７９】
第１実施形態によれば、傾斜支持面３４ｄごとに支持部材３４を設けることにより両傾斜支持面３４ｄ間における支持機構２９の余分な構成を省略することができるため、両傾斜支持面３４ｄを設けるための部材の大型化を避けることができる。
【００８０】
さらに、還元剤タンク１５の端部にそれぞれ締付部材３１を設けることにより還元剤タンク１５の両端部間における締付部材３１の余分な部分を省略することができるため、１枚の締付部材を用いる場合と比較して両締付部材３１の合計幅を小さく抑えることができる。また、還元剤タンク１５の両端部を２つの締付部材３１により締め付けることができるため、締付力を確実に傾斜支持面３４ｄに与えることができる。
【００８１】
したがって、支持機構２９及び締付部材３１に要するコストを低減しながら、締付力を確実に傾斜支持面３４ｄに与えることができる。
【００８２】
第１実施形態によれば、両締付部材３１の間に左側突出部２５が設けられているため、締付部材３１の側面と左側突出部２５の側面との接触により、当該締付部材３１と還元剤タンク１５とが締付直交方向に相対的に移動するのを規制することができる。
【００８３】
さらに、左側突出部２５が設けられていることにより還元剤タンク１５の容量を増加することもできる。
【００８４】
第１実施形態によれば、締付部材３１を支持機構２９と取付具３０とに掛け渡すことにより還元剤タンク１５を支持機構２９だけでなくアッパーフレーム１１にも締め付けることができる。
【００８５】
第１実施形態によれば、締付直交方向において締付部材３１による締付範囲（締付部材３１の幅範囲Ｗ１）と、傾斜外側面２３ｂと傾斜支持面３４ｄとの接触部分とが重なっている。そのため、締付部材３１による締付力を還元剤タンク１５を介して傾斜支持面３４ｄ及び傾斜外側面２３ｂに確実に伝えることができる。
【００８６】
＜第２実施形態（図７）＞
第１実施形態では、傾斜支持面３４ｄ及び直交支持面３４ｃをそれぞれ有する２つの支持部材３４が設けられているが、１つの支持部材３４に全ての傾斜支持面３４ｄ及び直交支持面３４ｃを設けることもできる。
【００８７】
具体的に、図７に示す支持部材３４は、２つの側面支持部３４ａ同士を連結する連結部３４ｆを有している。
【００８８】
また、第１実施形態では、２つの締付部材３１が設けられているが、図７に示すように、１つの締付部材３７によって還元剤タンク１５を支持機構２９及び載置面１４ｃに締め付けることもできる。
【００８９】
この場合、緩衝材３６を介した傾斜外側面２３ｂと傾斜支持面３４ｄとの接触部分の少なくとも一部は、平面視において締付直交方向における締付部材３７の幅範囲Ｗ２に重なることが好ましい。
【００９０】
なお、第１実施形態のように２つの支持部材３４を設けるとともに第２実施形態のように１つの締付部材３７を設けること、又は、第２実施形態のように１つの支持部材３４を設けるとともに第１実施形態のように２つの締付部材３１を設けることもできる。
【００９１】
＜第３実施形態（図８）＞
前記実施形態では、還元剤タンク１５の両傾斜外側面２３ｂが平面視において横締付方向に沿って支持機構２９側から取付具３０側に向けて互いに離れるように傾斜しているが、傾斜外側面の傾斜方向はこれに限定されない。
【００９２】
具体的に、図８に示す第３実施形態では、還元剤タンク１５の両傾斜外側面２３ｄは、平面視において横締付方向に沿って支持機構２９側から取付具３０側に向けて互いに近づくように傾斜している。
【００９３】
また、還元剤タンク１５の右外側面２３ｃは、平面視において、一方の傾斜外側面２３ｄの他方の傾斜外側面２３ｄに近い側の端部から当該他方の傾斜外側面２３ｄ側に向けて締付直交方向に沿って延びている。
【００９４】
一方、支持部材３４は、右外側面２３ｃを支持するための側面支持部３４ｇと、傾斜外側面２３ｄを支持するための傾斜面支持部３４ｈとを備えている。
【００９５】
傾斜面支持部３４ｈは、傾斜外側面２３ｄに沿って延びるとともに傾斜外側面２３ｄに接触することにより還元剤タンク１５を支持する傾斜支持面３４ｊを有する。
【００９６】
側面支持部３４ｇは、平面視において、一方の傾斜支持面３４ｊの他方の傾斜支持面３４ｊに近い側の端部から当該他方の傾斜支持面３４ｊ側に向けて締付直交方向に沿って延びる直交支持面３４ｉを有する。
【００９７】
なお、上述した第１〜第３実施形態を組み合わせることもできる。
【００９８】
また、傾斜外側面２３ｂ、２３ｄを有するタンクは、還元剤タンク１５に限定されない。例えば、作動油タンク１３及び燃料タンク１４等に傾斜外側面を形成して、そのタンクを固定機構１７によって固定することもできる。
【００９９】
燃料タンク１４（載置面１４ｃ）上に設けられたタンクについて説明したが、タンクが設けられる位置はアッパーフレーム１１上であれば、特に限定されない。
【０１００】
緩衝材３６を介して還元剤タンク１５と支持機構２９とが接触する例について説明したが、緩衝材３６を省略することもできる。この場合、タンクの損傷を抑制する手段を講じることが好ましい。
【０１０１】
支持機構２９が直交支持面３４ｃ、３４ｉを有する例について説明したが、支持機構２９は、少なくとも傾斜支持面３４ｄ、３４ｊを有していればよい。
【符号の説明】
【０１０２】
Ｗ１、Ｗ２  締付部材の幅範囲
１  油圧ショベル（建設機械の一例）
２  下部走行体
１１  アッパーフレーム
１５  還元剤タンク（タンクの一例）
２３ｂ、２３ｄ  傾斜外側面
２５  左側突出部（突出部の一例）
２９  支持機構
３０  取付具
３１、３７  締付部材
３４  支持部材
３４ｃ、３４ｉ  直交支持面
３４ｄ、３４ｊ  傾斜支持面
３７  締付部材
【図１】
0005949821.tif 000002
【図２】
0005949821.tif 000003
【図３】
0005949821.tif 000004
【図４】
0005949821.tif 000005
【図５】
0005949821.tif 000006
【図６】
0005949821.tif 000007
【図７】
0005949821.tif 000008
【図８】
0005949821.tif 000009